【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  少なくとも２つ以上のスピーカに対して音響信号を出力する
機能を備えた映像音響装置において、
映像再生用ディスプレイの位置を記憶する位置記憶手段と、
該位置記憶手段に記憶された前記ディスプレイの位置に基づいて音声の定位を
制御する定位制御手段とを備えていることを特徴とする映像音響装置。
【請求項２】  前記定位制御手段が、前記位置記憶手段に記憶された前記デ
ィスプレイの位置がいずれかのスピーカ側に偏位している場合に、該偏位方向に
音響の定位位置を調整することを特徴とする請求項１記載の映像音響装置。
【請求項３】  少なくとも左右２つのスピーカに対して、ステレオの左右チ
ャンネル信号を出力する機能を備え、
前記定位制御手段が、前記位置記憶手段に記憶された前記ディスプレイの位置
が左右スピーカの中央から偏位している場合に、前記ディスプレイに近い側のス
ピーカ用の再生音を左右チャンネルの混合信号とすることを特徴とする請求項１
記載の映像音響装置。
【請求項４】  フロントとリアに各々配置された左右チャンネルスピーカ用
の音声信号を生成して出力する機能を備え、
前記定位制御手段が、前記位置記憶手段に記憶された前記ディスプレイの位置
がフロントスピーカの中央から偏位している場合に、前記ディスプレイに近い側
の近接側フロントスピーカ用の再生音を該近接側フロントスピーカ用の再生信号
と反対側の遠隔側フロントスピーカ用の再生信号との混合信号とし、前記近接側
フロントスピーカと同じ側の近接側リアスピーカの再生音を前記近接側フロント
スピーカ用の再生信号とし、前記近接側リアスピーカと反対側の遠隔側リアスピ
ーカの再生音を左右チャンネルのリアスピーカ用の再生信号の混合信号とするこ
とを特徴とする請求項１記載の映像音響装置。
【請求項５】  フロントとリアに各々配置された左右チャンネルスピーカ用
の音声信号を生成して出力する機能を備え、
前記定位制御手段が、前記位置記憶手段に記憶された前記ディスプレイの位置
がフロントスピーカの中央から偏位している場合に、前記ディスプレイに近い側
の近接側フロントスピーカの再生音を該近接側フロントスピーカ用の再生信号と
反対側の遠隔側フロントスピーカ用の再生信号の混合信号とし、該遠隔側フロン
トスピーカの再生音を前記近接側フロントスピーカ用の再生信号と前記遠隔側フ
ロントスピーカ用の再生信号との加算信号と該遠隔側フロントスピーカ用の再生
信号との混合信号とし、前記近接側フロントスピーカと同じ側の近接側リアスピ
ーカの再生音を前記近接側フロントスピーカの再生信号とし、該近接側フロント
スピーカと反対側の遠隔側リアスピーカの再生音を左右チャンネルのリアスピー
カの再生信号の混合信号とすることを特徴とする請求項１記載の映像音響装置。
【請求項６】  フロントとリアに各々配置された左右チャンネルスピーカ用
の音声信号を生成して出力する機能と、
フロントセンタースピーカ用のフロントセンター信号を生成するフロントセン
ター信号生成手段とを備え、
前記定位制御手段が、前記位置記憶手段に記憶された前記ディスプレイの位置
がフロントスピーカの中央から偏位している場合に、前記ディスプレイに近い側
の近接側フロントスピーカの再生音を前記フロントセンター信号とし、該近接側
フロントスピーカと同じ側の近接側リアスピーカの再生音を前記近接側フロント
スピーカ用の再生信号とし、該近接側フロントスピーカと反対側の遠隔側リアス
ピーカの再生音を左右チャンネルのリアスピーカ用の再生信号の混合信号とする
ことを特徴とする請求項１記載の映像音響装置。
【請求項７】  フロントとリアに各々配置された左右チャンネルスピーカ用
の音声信号を生成して出力する機能と、
フロントセンタースピーカ用のフロントセンター信号を生成するフロントセン
ター信号生成手段とを備え、
前記定位制御手段が、前記位置記憶手段に記憶された前記ディスプレイの位置
がフロントスピーカの中央から偏位している場合に、前記ディスプレイに近い側
の近接側フロントスピーカの再生音を前記フロントセンター信号とし、遠隔側フ
ロントスピーカの再生音を該遠隔側フロントスピーカ用の再生信号と前記フロン
トセンター信号との混合信号とし、前記近接側フロントスピーカと同じ側の近接
側リアスピーカの再生音を近接側フロントスピーカ用の再生信号とし、該近接側
フロントスピーカと反対側の遠隔側リアスピーカの再生音を左右チャンネルのリ
アスピーカの再生信号の混合信号とすることを特徴とする請求項１記載の映像音
響装置。
【請求項８】  リアの中央に配置されたリアセンタースピーカ用の音声信号
を生成して出力する機能を備え、
前記定位制御手段が、前記遠隔側リアスピーカの再生音を該遠隔側リアスピー
カ用の再生信号とし、前記リアセンタースピーカの再生音を前記近接側リアスピ
ーカ用の再生信号とすることを特徴とする請求項４〜７のいずれかの項に記載の
映像音響装置。
【請求項９】  前記フロントスピーカと前記リアスピーカの再生音量を独立
して操作可能な音量操作手段を備えていることを特徴とする請求項４〜８のいず
れかの項に記載の映像音響装置。
【請求項１０】  各スピーカ用の再生信号の混合量を設定記憶できる混合量
記憶手段を備えていることを特徴とする請求項２〜９のいずれかの項に記載の映
像音響装置。
【請求項１１】  前記ディスプレイの動作状態を検出する動作状態検出手段
と、
該動作状態検出手段により、前記ディスプレイの非動作状態が検出された時に
は、前記定位制御手段の制御を停止する制御停止手段とを備えていることを特徴
とする請求項１〜１０のいずれかの項に記載の映像音響装置。
【請求項１２】  各スピーカの再生音量比の手動操作を無効にする再生音量
比操作無効手段を備えていることを特徴とする請求項１〜１１のいずれかの項に
記載の映像音響装置。
【請求項１３】  各スピーカ用の再生信号に遅延処理等を施して音場を再現
する音場再現処理を無効化する音場処理無効化手段を備えていることを特徴とす
る請求項１〜１２のいずれかの項に記載の映像音響装置。
【手続補正２】
【補正対象書類名】明細書
【補正対象項目名】０００１
【補正方法】変更
【補正の内容】
【０００１】
【発明の属する技術分野】
本発明は、映像音響装置に関し、特に映像再生用ディスプレイの位置に応じた
適切な音の定位感を得られる映像音響装置に関する。
【手続補正３】
【補正対象書類名】明細書
【補正対象項目名】０００５
【補正方法】変更
【補正の内容】
【０００５】
【課題を解決するための手段及びその効果】
上記課題を解決するため、本発明に係る映像音響装置（１）は、少なくとも２
つ以上のスピーカに対して音響信号を出力する機能を備えた映像音響装置におい
て、映像再生用ディスプレイの位置を記憶する位置記憶手段と、該位置記憶手段
に記憶された前記ディスプレイの位置に基づいて音声の定位を制御する定位制御
手段とを備えていることを特徴としている。
上記映像音響装置（１）によれば、前記位置記憶手段に記憶された前記ディス
プレイの位置に基づいて音声の定位が制御されるので、音声が映像（ディスプレ
イ）の方向から聞こえるような適切な定位感を実現できる。
また、本発明に係る映像音響装置（２）は、上記映像音響装置（１）において
、前記定位制御手段が、前記位置記憶手段に記憶された前記ディスプレイの位置
がいずれかのスピーカ側に偏位している場合に、該偏位方向に音響の定位位置を
調整することを特徴としている。
上記映像音響装置（２）によれば、前記位置記憶手段に記憶された前記ディス
プレイの位置がいずれかのスピーカ側に偏位している場合に、該偏位方向に音響
の定位位置が調整されるので、音声が映像（ディスプレイ）の方向から聞こえる
ような適切な定位感を実現できる。
また、本発明に係る映像音響装置（３）は、上記映像音響装置（１）において
、少なくとも左右２つのスピーカに対して、ステレオの左右チャンネル信号を出
力する機能を備え、前記定位制御手段が、前記位置記憶手段に記憶された前記デ
ィスプレイの位置が左右スピーカの中央から偏位している場合に、前記ディスプ
レイに近い側のスピーカ用の再生音を左右チャンネルの混合信号とすることを特
徴としている。
上記映像音響装置（３）によれば、前記位置記憶手段に記憶された前記ディス
プレイの位置が左右スピーカの中央から偏位している場合に、前記ディスプレイ
に近い側のスピーカ用の再生音が左右チャンネルの混合信号として音声再生され
るので、音声が映像（ディスプレイ）の方向から聞こえるような適切な定位感を
実現できる。
また、本発明に係る映像音響装置（４）は、上記映像音響装置（１）において
、フロントとリアに各々配置された左右チャンネルスピーカ用の音声信号を生成
して出力する機能を備え、前記定位制御手段が、前記位置記憶手段に記憶された
前記ディスプレイの位置がフロントスピーカの中央から偏位している場合に、前
記ディスプレイに近い側の近接側フロントスピーカ用の再生音を該近接側フロン
トスピーカ用の再生信号と反対側の遠隔側フロントスピーカ用の再生信号との混
合信号とし、前記近接側フロントスピーカと同じ側の近接側リアスピーカの再生
音を前記近接側フロントスピーカ用の再生信号とし、前記近接側リアスピーカと
反対側の遠隔側リアスピーカの再生音を左右チャンネルのリアスピーカ用の再生
信号の混合信号とすることを特徴としている。
【手続補正４】
【補正対象書類名】明細書
【補正対象項目名】０００６
【補正方法】変更
【補正の内容】
【０００６】
上記映像音響装置（４）によれば、ディスプレイを中心に略左右対象な形で、
ステレオ再生における左右チャンネルの信号が音声再生されるので、つまりディ
スプレイをフロントスピーカの中央に配置した状態と同様に音声再生されるので
、音声が映像（ディスプレイ）の方向から聞こえるような適切な定位感を実現で
きる。
【手続補正５】
【補正対象書類名】明細書
【補正対象項目名】０００７
【補正方法】変更
【補正の内容】
【０００７】
また、本発明に係る映像音響装置（５）は、上記映像音響装置（１）において
、フロントとリアに各々配置された左右チャンネルスピーカ用の音声信号を生成
して出力する機能を備え、前記定位制御手段が、前記位置記憶手段に記憶された
前記ディスプレイの位置がフロントスピーカの中央から偏位している場合に、前
記ディスプレイに近い側の近接側フロントスピーカの再生音を該近接側フロント
スピーカ用の再生信号と反対側の遠隔側フロントスピーカ用の再生信号の混合信
号とし、該遠隔側フロントスピーカの再生音を前記近接側フロントスピーカ用の
再生信号と前記遠隔側フロントスピーカ用の再生信号との加算信号と該遠隔側フ
ロントスピーカ用の再生信号との混合信号とし、前記近接側フロントスピーカと
同じ側の近接側リアスピーカの再生音を前記近接側フロントスピーカの再生信号
とし、該近接側フロントスピーカと反対側の遠隔側リアスピーカの再生音を左右
チャンネルのリアスピーカの再生信号の混合信号とすることを特徴としている。
【手続補正６】
【補正対象書類名】明細書
【補正対象項目名】０００８
【補正方法】変更
【補正の内容】
【０００８】
上記映像音響装置（５）によれば、ディスプレイを中心に略左右対象な形で、
ステレオ再生における左右チャンネルの信号が音声再生されるので、つまりディ
スプレイをフロントスピーカの中央に配置した状態と同様に音声再生されるので
、音声が映像（ディスプレイ）の方向から聞こえるような適切な定位感を実現で
きる。また、前記遠隔側フロントスピーカの再生信号における前記近接側フロン
トスピーカの再生信号の混合量を調整することにより、ディスプレイの位置に応
じた定位感の微調整が可能となる。
【手続補正７】
【補正対象書類名】明細書
【補正対象項目名】０００９
【補正方法】変更
【補正の内容】
【０００９】
また、本発明に係る映像音響装置（６）は、上記映像音響装置（１）において
、フロントとリアに各々配置された左右チャンネルスピーカ用の音声信号を生成
して出力する機能と、フロントセンタースピーカ用のフロントセンター信号を生
成するフロントセンター信号生成手段とを備え、前記定位制御手段が、前記位置
記憶手段に記憶された前記ディスプレイの位置がフロントスピーカの中央から偏
位している場合に、前記ディスプレイに近い側の近接側フロントスピーカの再生
音を前記フロントセンター信号とし、該近接側フロントスピーカと同じ側の近接
側リアスピーカの再生音を前記近接側フロントスピーカ用の再生信号とし、該近
接側フロントスピーカと反対側の遠隔側リアスピーカの再生音を左右チャンネル
のリアスピーカ用の再生信号の混合信号とすることを特徴としている。
【手続補正８】
【補正対象書類名】明細書
【補正対象項目名】００１０
【補正方法】変更
【補正の内容】
【００１０】
上記映像音響装置（６）によれば、ディスプレイを中心に略左右対象な形で、
ステレオ再生における左右チャンネルの信号が音声再生されるので、つまりディ
スプレイをフロントスピーカの中央に配置した状態と同様に音声再生されるので
、音声が映像（ディスプレイ）の方向から聞こえるような適切な定位感を実現で
きる。
【手続補正９】
【補正対象書類名】明細書
【補正対象項目名】００１１
【補正方法】変更
【補正の内容】
【００１１】
また、本発明に係る映像音響装置（７）は、上記映像音響装置（１）において
、フロントとリアに各々配置された左右チャンネルスピーカ用の音声信号を生成
して出力する機能と、フロントセンタースピーカ用のフロントセンター信号を生
成するフロントセンター信号生成手段とを備え、前記定位制御手段が、前記位置
記憶手段に記憶された前記ディスプレイの位置がフロントスピーカの中央から偏
位している場合に、前記ディスプレイに近い側の近接側フロントスピーカの再生
音を前記フロントセンター信号とし、遠隔側フロントスピーカの再生音を該遠隔
側フロントスピーカ用の再生信号と前記フロントセンター信号との混合信号とし
、前記近接側フロントスピーカと同じ側の近接側リアスピーカの再生音を近接側
フロントスピーカ用の再生信号とし、該近接側フロントスピーカと反対側の遠隔
側リアスピーカの再生音を左右チャンネルのリアスピーカの再生信号の混合信号
とすることを特徴としている。
【手続補正１０】
【補正対象書類名】明細書
【補正対象項目名】００１２
【補正方法】変更
【補正の内容】
【００１２】
上記映像音響装置（７）によれば、ディスプレイを中心に略左右対象な形で、
ステレオ再生における左右チャンネルの信号が音声再生されるので、つまりディ
スプレイをフロントスピーカの中央に配置した状態と同様に音声再生されるので
、音声が映像（ディスプレイ）の方向から聞こえるような適切な定位感を実現で
きる。また、前記遠隔側フロントスピーカの再生信号におけるフロントセンター
信号の混合量を調整することにより、ディスプレイの位置に応じた定位感の微調
整が可能となる。
【手続補正１１】
【補正対象書類名】明細書
【補正対象項目名】００１３
【補正方法】変更
【補正の内容】
【００１３】
また、本発明に係る映像音響装置（８）は、上記映像音響装置（４）〜（７）
のいずれかにおいて、リアの中央に配置されたリアセンタースピーカ用の音声信
号を生成して出力する機能を備え、前記定位制御手段が、前記遠隔側リアスピー
カの再生音を該遠隔側リアスピーカ用の再生信号とし、前記リアセンタースピー
カの再生音を前記近接側リアスピーカ用の再生信号とすることを特徴としている
。
上記映像音響装置（８）によれば、ディスプレイを中心に略左右対象な形で、
更にフロントとリアに各々左右チャンネルスピーカを備えたステレオ方式の形が
実現されるので、適切な定位感を実現できると共に音響の立体感も十分なものと
することができる。
【手続補正１２】
【補正対象書類名】明細書
【補正対象項目名】００１４
【補正方法】変更
【補正の内容】
【００１４】
また、本発明に係る映像音響装置（９）は、上記映像音響装置（４）〜（８）
のいずれかにおいて、前記フロントスピーカと前記リアスピーカの再生音量を独
立して操作可能な音量操作手段を備えていることを特徴としている。
上記映像音響装置（９）によれば、定位感を損なうことなく、つまり音が発生
していると感じる方向（ディスプレイ方向）を変えることなく、フロント音量と
リア音量を調整することが可能となり、自動車用映像音響装置において有用な前
後バランス調整が適切に行えるようになる。
また、本発明に係る映像音響装置（１０）は、上記映像音響装置（２）〜（９
）のいずれかにおいて、各スピーカ用の再生信号の混合量を設定記憶できる混合
量記憶手段を備えていることを特徴としている。
上記映像音響装置（１０）によれば、ディスプレイの位置に応じた定位感の調
整や、視聴者の好みによる定位感の調整が容易に可能となる。
【手続補正１３】
【補正対象書類名】明細書
【補正対象項目名】００１５
【補正方法】変更
【補正の内容】
【００１５】
また、本発明に係る映像音響装置（１１）は、上記映像音響装置（１）〜（１
０）のいずれかにおいて、前記ディスプレイの動作状態を検出する動作状態検出
手段と、該動作状態検出手段により、前記ディスプレイの非動作状態が検出され
た時には、前記定位制御手段の制御を停止する制御停止手段とを備えていること
を特徴としている。
上記映像音響装置（１１）によれば、映像再生の有無に応じた定位の制御を切
り換える操作が不要になり操作性が向上する。
【手続補正１４】
【補正対象書類名】明細書
【補正対象項目名】００１６
【補正方法】変更
【補正の内容】
【００１６】
また、本発明に係る映像音響装置（１２）は、上記映像音響装置（１）〜（１
１）のいずれかにおいて、各スピーカの再生音量比の手動操作を無効にする再生
音量比操作無効手段を備えていることを特徴としている。
上記映像音響装置（１２）によれば、手動操作による定位感への影響を無くす
ことができ、手動操作による調整を考慮することなく常に適切な定位感を得るこ
とができる。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】変更
【補正の内容】
【００１８】
また、本発明に係る映像音響装置（１３）は、上記映像音響装置（１）〜（１
２）のいずれかにおいて、各スピーカ用の再生信号に遅延処理等を施して音場を
再現する音場再現処理を無効化する音場処理無効化手段を備えていることを特徴
としている。                                                            
上記映像音響装置（１３）によれば、音場制御による定位感への影響を無くす
ことができ、音場制御による調整を考慮することなく常に適切な定位感を得るこ
とができる。